(57)【要約】      （修正有）【訣題】断熱効果の機能面を有しつつ、機能面以外の面にも考慮した窓ガラス用断熱シートを提供する。【解決手段】窓ガラス１に貼り付けられる窓ガラス用断熱シートＰにおいて、この窓ガラス用断熱シートＰに文字、図形、記号、模様又はこれらの組み合わせからなる蓄光インクで印刷された表示部を備えている。【選択図】図１
0003152336.tif 000002
【実用新案登録請求の範囲】
【請求項１】
窓ガラスに貼り付けられる窓ガラス用断熱シートにおいて、
この窓ガラス用断熱シートに文字、図形、記号、模様又はこれらの組み合わせからなる蓄光インクで印刷された表示部を備えている
ことを特徴とする窓ガラス用断熱シート。
【請求項２】
窓ガラスに貼り付けられる窓ガラス用断熱シートにおいて、
この窓ガラス用断熱シートに文字、図形、記号、模様又はこれらの組み合わせからなる蓄光インクで印刷された第１の表示部と、
前記窓ガラス用断熱シートに文字、図形、記号、模様又はこれらの組み合わせからなる蓄光インクでないインクで印刷された第２の表示部と、
を備えていることを特徴とする窓ガラス用断熱シート。
【請求項３】
第１の表示部は、夜をイメージした月、星、夜景の何れか一つ又はこれらの組み合わせで表示されている
ことを特徴とする請求項１又は請求項２記載の窓ガラス用断熱シート。
【請求項４】
窓ガラス用断熱シートは、窓ガラス全体に亘って貼り付けられている
ことを特徴とする請求項１〜３のいずれか１項に記載の窓ガラス用断熱シート。
【考案の詳細な説明】
【技術分野】
【０００１】
本考案は、窓ガラスに貼り付けられる窓ガラス用断熱シートに係り、特に、昼と夜とで見え方が異なる表示部を備えた窓ガラス用断熱シートに関する。
【背景技術】
【０００２】
窓ガラスを介しての熱ロスの改善を図るものとして、窓ガラス用断熱シートがある（例えば、特許文献１参照）。
これは、内フィルムと外フィルムとの間に空気を閉じ込めた複数の空気室を備えたものである。
【先行技術文献】
【特許文献】
【０００３】
【特許文献１】登録実用新案公報第３０４７３１５号
【考案の概要】
【考案が解決しようとする課題】
【０００４】
しかしながら、従来の窓ガラス用断熱シートにあっては、窓ガラスの断熱効果の機能面にしか着目がなされていなかったという問題点があった。
【０００５】
本考案は、上記の問題点を除去するように、窓ガラスの断熱効果の機能面を有しつつ、機能面以外の面にも考慮した窓ガラス用断熱シートを提供することを目的とする。
【課題を解決するための手段】
【０００６】
請求項１記載の窓ガラス用断熱シートは、窓ガラスに貼り付けられる窓ガラス用断熱シートにおいて、この窓ガラス用断熱シートに文字、図形、記号、模様又はこれらの組み合わせからなる蓄光インクで印刷された表示部を備えているものである。
【０００７】
また、請求項２記載の窓ガラス用断熱シートは、窓ガラスに貼り付けられる窓ガラス用断熱シートにおいて、この窓ガラス用断熱シートに文字、図形、記号、模様又はこれらの組み合わせからなる蓄光インクで印刷された第１の表示部と、前記窓ガラス用断熱シートに文字、図形、記号、模様又はこれらの組み合わせからなる蓄光インクでないインクで印刷された第２の表示部とを備えているものである。
【０００８】
また、請求項３記載の窓ガラス用断熱シートは、請求項１又は請求項２記載の窓ガラス用断熱シートにおいて、第１の表示部は、夜をイメージした月、星、夜景の何れか一つ又はこれらの組み合わせで表示されているものである。
【０００９】
また、請求項４記載の窓ガラス用断熱シートは、請求項１〜３のいずれか１項に記載の窓ガラス用断熱シートにおいて、窓ガラス用断熱シートは、窓ガラス全体に亘って貼り付けられているものである。
【考案の効果】
【００１０】
請求項１記載の窓ガラス用断熱シートによれば、断熱効果により窓ガラスの熱ロスが軽減でき、また、冬にあっては、結露が防止でき、加えて、蓄光インクで印刷された表示部が昼と夜とで見え方が異なるため、表示部が変化する分、異なった印象を楽しむことができる。
【００１１】
また、請求項２記載の窓ガラス用断熱シートによれば、断熱効果により窓ガラスの熱ロスが軽減でき、また、冬にあっては、結露が防止でき、加えて、蓄光インクで印刷された第１の表示部が昼と夜とで見え方が異なるため、第１の表示部が変化する分、異なった印象を楽しむことができる。
【００１２】
また、請求項３記載の窓ガラス用断熱シートによれば、上述した請求項１又は請求項２記載の考案の効果に加え、第１の表示部は、夜のイメージである月、星、夜景の何れか一つ又はこれらの組み合わせで表示されているため、夜の雰囲気をより楽しむことができる。
【００１３】
また、請求項４記載の窓ガラス用断熱シートによれば、上述した請求項１又は請求項２又は請求項３記載の考案の効果に加え、窓ガラス用断熱シートは、窓ガラス全体に亘って貼り付けられているため、窓ガラス用断熱シートの大きさが大きい分、第１の表示部と第２の表示部とを大きく取ることができ、異なった印象を更に楽しむことができる。
【図面の簡単な説明】
【００１４】
【図１】図１は、本考案の一実施例の窓ガラス用断熱シートの取り付け状態の概略的斜視図である。
【図２】図２は、図１の窓ガラス用断熱シートを取り付けた状態の概略的正面図である。
【図３】図３は、図１の窓ガラス用断熱シートの昼の状態の概略的正面図である。
【図４】図４は、図１の窓ガラス用断熱シートの夜の状態の概略的正面図である。
【図５】図５は、図４の５ー５の概略的断面図である。
【考案を実施するための形態】
【００１５】
本考案の一実施例の窓ガラス用断熱シートを図面を参照して説明する。
図１〜図５に示すＰは、窓ガラス１全体に亘って貼り付けられている窓ガラス用断熱シートで、窓ガラス用断熱シートＰは、例えば、内フィルム２と外フィルム３との間に空気を閉じ込めた複数の空気室４を備え、窓ガラス１を介しての熱ロスの改善を図っている。
【００１６】
内フィルム２には、文字、図形、記号、模様又はこれらの組み合わせからなる蓄光インクで印刷された表示部２１（第１の表示部２１）が設けられている。
この表示部２１（第１の表示部２１）の表示に使用される印刷用インクは、明るい場所で吸収した光を、暗い場所で放出する公知の蓄光インクで、該蓄光インクは、例えば、透明性を有する熱可塑性樹脂と熱硬化性樹脂を結合剤とし、これに蓄光顔料と着色剤及び分散剤を入れて作られるものである。
また、表示部２１（第１の表示部２１）の表示は、文字、図形、記号、模様又はこれらの組み合わせからなる蓄光インクで印刷されたもので、具体的には、夜をイメージした月、星、夜景の何れか一つ又はこれらの組み合わせで表示されるものであり、より具体的には、図２〜図４に示されるものである。
【００１７】
この実施例の窓ガラス用断熱シートＰにあっては、少なくとも、表示部２１（第１の表示部２１）があれば良い。かかる場合、窓ガラス用断熱シートＰにより、窓ガラス１の断熱効果により熱ロスが軽減でき、また、冬にあっては、結露が防止でき、加えて、蓄光インクで印刷された表示部２１が昼と夜とで見え方が異なるため、表示部２１が変化する分、異なった印象を楽しむことができる。               
また、窓ガラス用断熱シートＰには、図２に示すように、表示部２１（第１の表示部２１）と第２の表示部２２とを設けるようにしても良い。第２の表示部２２は、文字、図形、記号、模様又はこれらの組み合わせからなる蓄光インクでないインクで印刷されたもので、具体的には、図２に示される町並みの風景である。
従って、昼には、図３に示すように、主に、第２の表示部２２による町並みの風景が、夜には、図４に示すように、主に、表示部２１（第１の表示部２１）による星が光り出す様が表示される。
その結果、昼と夜とで見え方が異なるため、特に、表示部２１（第１の表示部２１）が変化する分、異なった印象を楽しむことができる。
【００１８】
なお、上述した実施例においては、窓ガラス用断熱シートＰは、窓ガラス１全体に亘って貼り付けられているが、場合により、窓ガラス１の全体ではなく、一部であっても良い。
【符号の説明】
【００１９】
Ｐ      窓ガラス用断熱シート
１      窓ガラス
２１    表示部
【図１】
0003152336.tif 000003
【図２】
0003152336.tif 000004
【図３】
0003152336.tif 000005
【図４】
0003152336.tif 000006
【図５】
0003152336.tif 000007
【手続補正書】
【提出日】平成21年5月22日(2009.5.22)
【手続補正１】
【補正対象書類名】実用新案登録請求の範囲
【補正対象項目名】全文
【補正方法】変更
【補正の内容】
【実用新案登録請求の範囲】
【請求項１】
窓ガラスに貼り付けられる窓ガラス用断熱シートにおいて、
この窓ガラス用断熱シートに文字、図形、記号、模様又はこれらの組み合わせからな
る蓄光インクで印刷された表示部を備えている
ことを特徴とする窓ガラス用断熱シート。
【請求項２】
窓ガラスに貼り付けられる窓ガラス用断熱シートにおいて、
この窓ガラス用断熱シートに文字、図形、記号、模様又はこれらの組み合わせからな
る蓄光インクで印刷された第１の表示部と、
前記窓ガラス用断熱シートに文字、図形、記号、模様又はこれらの組み合わせからな
る蓄光インクでないインクで印刷された第２の表示部と、
を備えていることを特徴とする窓ガラス用断熱シート。
【請求項３】
第１の表示部は、夜をイメージした月、星、夜景の何れか一つ又はこれらの組み合わ
せで表示されている
ことを特徴とする請求項２記載の窓ガラス用断熱シート。
【請求項４】
窓ガラス用断熱シートは、窓ガラス全体に亘って貼り付けられている
ことを特徴とする請求項１〜３のいずれか１項に記載の窓ガラス用断熱シート。
【手続補正２】
【補正対象書類名】明細書
【補正対象項目名】０００８
【補正方法】変更
【補正の内容】
【０００８】
また、請求項３記載の窓ガラス用断熱シートは、請求項２記載の窓ガラス用断熱シートにおいて、第１の表示部は、夜をイメージした月、星、夜景の何れか一つ又はこれらの組み合わせで表示されているものである。
【手続補正３】
【補正対象書類名】明細書
【補正対象項目名】００１２
【補正方法】変更
【補正の内容】
【００１２】
また、請求項３記載の窓ガラス用断熱シートによれば、上述した請求項２記載の考案の効果に加え、第１の表示部は、夜のイメージである月、星、夜景の何れか一つ又はこれらの組み合わせで表示されているため、夜の雰囲気をより楽しむことができる。